(57)【要約】【課題】水平姿勢変更自在でかつ跳ね上げ回動自在なカードケースを有するカード類表示具を容易に製造できるようにする。【手段】カード類表示具１１は、フック装置２に取り付くホルダー１２と、ホルダー１２に取り付くカードケース１３とから成っている。カードケース１３の裏面にブラケット２５を介して左右横長の支軸２６が設けられている一方、ホルダー１２の前端部には、支軸２６を上下から挟み保持する上下挟持部２０，２１が形成されている。下挟持部２１はリング状に形成されており、上挟持部２０は平面視において下挟持部２１で囲われている。下挟持部２１の上面に支軸２６を位置決めするための３本の凹溝２３が交叉した姿勢に形成されている。上下挟持部は金型の抜き違いによって成形できるため、単純な成形装置でも容易に型抜きできる。【選択図】図２
2009018040.tif 000002
【特許請求の範囲】
【請求項１】
陳列装置に取り付くホルダーと、前記ホルダーの手前に配置されたカードケースとを備えており、前記カードケースとホルダーとのうち何れか一方には、他方に向けて延びる左右のブラケットを介して横長の支軸が設けられており、前記カードケースとホルダーとのうち他方には、前記支軸を上下から挟んで保持する上挟持部と下挟持部とが共に片持ち梁の状態で延びるように設けられている、
という基本構成であって、更に、
前記上挟持部と下挟持部とのうち一方の挟持部は平面視で上下に貫通した中心穴を有するリング状に形成されており、前記上挟持部と下挟持部とのうち他方の挟持部は、平面視において前記一方の挟持部で囲われており、両挟持部のうち何れか一方又は両方に、前記支軸が嵌まる位置決め用凹溝を形成しており、上下挟持部を互いの間隔が広がるように弾性変形させることで支軸を凹溝に嵌め込みできるようになっている、
商品陳列装置用のカード類表示具。
【請求項２】
前記ホルダーは樹脂製であって商品を吊り下げて陳列する棒状フック装置に取付けられるようになっており、カードケースに支軸が設けられている一方、ホルダーにリング状の下挟持部と平面視において下挟持部で囲われた上挟持部とが形成されており、下挟持部の上面に、前記支軸が嵌まる複数本の凹溝を平面視で交叉した姿勢に形成している、
請求項１に記載した商品陳列装置用のカード類表示具。
【請求項３】
前記凹溝は平面視交叉した方向に複数本形成されており、このためカードケースはその水平姿勢を変更可能になっており、かつ、支軸が凹溝に嵌まった状態で上下挟持部には弾性復元力が作用していない、
請求項１又は２に記載した商品陳列装置用のカード類表示具。
【発明の詳細な説明】
【技術分野】
【０００１】
本願発明は、例えば棒状フック装置のような商品陳列装置に使用するカード類表示具に関するものである。
【背景技術】
【０００２】
商品陳列装置として商品を吊り下げて陳列する棒状フック装置があり、各種の店舗で広く使用されている。この棒状フック装置には、上段フック体と下段フック体とを有する２段方式と、商品吊り下げ用のフック体のみを有するシングル方式とがあり、前者は十手フックと称されて後者はシングルフックと称されている。
【０００３】
このうち十手フックは上段フック体をプライスカードの取り付けに使用するのものであり、上段フック体の先端は上向きに延びる上向き部になっていて、従来は、この上向き部を利用して合成樹脂製等のカードケースを取付けている。そして、従来のカードケースは基本的には単一構造になっており、その姿勢を変えることはできなかった。
【０００４】
他方、カードケースの表示面は一般に陳列棚と対向した姿勢になっているが、例えば店舗の通路を買い物客が通行するにおいて方向性がある場合があり、そこで、買い物客に対して商品を強くアピールするためカードケースをその表示面が買い物客によく見えるように変えたいという要望がある。この要望に対して特許文献１では、水平姿勢を簡単に変更できる状態で十手フックの上段フック体に取付けできるようにしたカードケースが開示されている。
【０００５】
また、店舗からはカードケースを跳ね上げ回動できる構造にして欲しいとの要望もある。すなわち、商品を吊り下げているフック体の先端が人の顔に当たることが懸念されるため、商品吊り下げ用フック体の前方をカードケースで覆うことで安全性を確保すると共に、商品の出し入れの容易性を阻害しないようにカードケースを跳ね上げ回動できるようにして欲しいという要望がある。  
【０００６】
この点について本願出願人は、特許文献２においてシングルフック用のカード類表示具を開示した。すなわちこの特許文献２のカード類表示具は、フック体に取り付く本体とカード類が装着されるカードケースとが別部材になっており、カードケースの裏側に水平状の支軸を設ける一方、本体の前端には前記支軸を上下から挟む上下の挟持部を一体に設けたものであり、挟持部に、支軸が嵌まる凹溝を平面視で交叉姿勢にして３本形成することにより、カードケースの平面視姿勢を３通りに変更できるようになっている。
【０００７】
更に、十手フック用のカード類表示具として特許文献３には、十手フックの上段フックに取り付く本体にカードケースを跳ね上げ回動自在に取り付けることが開示されており、この特許文献２では、本体に上向き開口溝を形成して、カードケースに設けた支軸を本体の上向き開口溝に嵌め込むようになっている。
【特許文献１】特開平１１−２０６５２４号公報
【特許文献２】特開２００５−１９２５８６号公報
【特許文献３】実用新案登録第３１２８２２１号公報
【発明の開示】
【発明が解決しようとする課題】
【０００８】
特許文献３のものは単にカードケースを跳ね上げ回動できるに過ぎず、カードケースの平面視での姿勢を変えることはできない。このため、買い物客の流れに応じた姿勢を採ることができない問題がある。これに対して特許文献２のものは、カードケースは平面姿勢を変更できると共に何れの姿勢においても上向きに跳ね上げ回動させることができるため、視認性と安全性との両方を確保できて好適である。
【０００９】
本願発明はこの特許文献２の思想を踏襲しつつ、製造の容易性を向上させようとするものである。
【課題を解決するための手段】
【００１０】
本願発明のカード類表示具は、「陳列装置に取り付くホルダーと、前記ホルダーの手前に配置されたカードケースとを備えており、前記カードケースとホルダーとのうち何れか一方には、他方に向けて延びる左右のブラケットを介して横長の支軸が設けられており、前記カードケースとホルダーとのうち他方には、前記支軸を上下から挟んで保持する上挟持部と下挟持部とが共に片持ち梁の状態で延びるように設けられている」、という基本構成になっている。
【００１１】
そして、請求項１の発明では、上記の基本構成に加えて、前記上挟持部と下挟持部とのうち一方の挟持部は平面視で上下に貫通した中心穴を有するリング状に形成されており、前記上挟持部と下挟持部とのうち他方の挟持部は、平面視において前記一方の挟持部で囲われており、両挟持部のうち何れか一方又は両方に、前記支軸が嵌まる位置決め用凹溝を形成しており、上下挟持部を互いの間隔が広がるように弾性変形させることで支軸を凹溝に嵌め込みできるようになっている。
【００１２】
請求項２の発明は十手フックやシングルフックのような棒状フック装置に適用したものである。すなわち、請求項１において、前記ホルダーは樹脂製であって商品を吊り下げて陳列する棒状フック装置に取付けられるようになっており、カードケースに支軸が設けられている一方、ホルダーにリング状の下挟持部と平面視において下挟持部で囲われた上挟持部とが形成されており、下挟持部の上面に、前記支軸が嵌まる複数本の凹溝を平面視で交叉した姿勢に形成している。
【００１３】
請求項３の発明は請求項１又は２をより好適に具体化したものであり、この発明では、前記凹溝は平面視交叉した方向に複数本形成されており、このためカードケースはその水平姿勢を変更可能になっており、かつ、支軸が凹溝に嵌まった状態で上下挟持部には弾性復元力が作用していない。
【発明の効果】
【００１４】
本願発明において、ホルダー及びカードケースのうち少なくとも上下挟持部を有するものは樹脂を素材とした射出成形法によって製造されるが、その場合、本願発明では上下の挟持部は平面視で互いに重なり合っていないため、上下の挟持部は、単に密着・離反するに過ぎない一対の金型（現場用語で言うキャビとコア）を使用して、型抜きの容易性を損なうことなく成形することができる。従って、金型装置はスライド型を必要とせずに構造がシンプルになり、その結果、カード類表示具をコストを抑制することができる。
【００１５】
請求項２のように構成すると、カードケースは水平姿勢を段階的に変更できると共に跳ね上げ回動させることもできるため、特許文献２と同様に店舗の要望に的確に応えることができる。更に、請求項３のように構成すると、カードケースを跳ね上げ回動させたり戻したりするに際して抵抗はないため、商品の出し入れを至極スムースに行うことができる利点がある。
【発明を実施するための最良の形態】
【００１６】
次に、本発明の実施形態を図面に基づいて説明する。図１〜図３では第１実施形態を示しており、まず、この第１実施形態から説明する。図１のうち（Ａ）は平面図、（Ｂ）は側面図、（Ｃ）は（Ｂ）のＣ−Ｃ視断面図、図２は図１（Ａ）の II-II視断面図、図３は取付けの手順を示す断面図である。
【００１７】
(1).フック装置
この実施形態は十手式のフック装置に適用したもので請求項１の具体例である。フック装置は従来から広く知られている市販品であり、側面視下向き開口コ字状のベース体１と、商品を吊り下げる棒状の下段フック体２と、カード類保持用の上段フック体３とから成っている。上下のフック体２，３は１本の丸線材から成っていて鉛直姿勢の後端部４を介して一連に繋がっており、下段フック体２の後端部がベース体１の上面に溶接によって固着されている。
【００１８】
下段フック体２の先端部は緩い角度（水平に対して３０°程度）の傾斜部２ａになっており、他方は、上段フック体３の先端には上向き３ａが形成されている。本実施形態の上向き部３ａは鉛直姿勢になっているが、傾斜姿勢になっている場合もある。ベース体１は陳列装置の角パイプ製横バー５に上方から嵌まっている。ネット式の陳列棚もあり、この場合は上段フック体３と下段フック体２とを繋ぐ後端部４がベース体の前面に溶接されている。
【００１９】
(2).カード類表示具のホルダー
本願発明を具体化したカード類表示具１１は、上段フック体３に装着される樹脂製のホルダー１２と、ホルダー１２に着脱自在な樹脂製のカードケース１３とからなっている。
【００２０】
ホルダー１２は上段フック体３の左右両側に位置する一対の側板１２ａを備えており、左右の側板１２ａで上段フック体３の上向き部３ａを左右から挟むことにより、上段フック体３の軸心回りに回転することが阻止されている。また、左右側板１２ａの後部には上段フック体３の下面に当たる第１下ストッパー部１４が一体に繋がっており、また、左右側板１２ａは、第１下ストッパー部１４のやや手前に位置したブリッジ状の上ストッパー部１５によっても一体に連結されており、更に、左右側板１２ａの下端は、上ストッパー部１５よりもやや手前の部位において第２下ストッパー部１６によっても一体に繋がっている。
【００２１】
ホルダー１２は第１下ストッパー部１４の箇所で上向きに開口した樋状になっている。そして、第１下ストッパー部１４が上ストッパー部１５よりも奥側に位置しているため、カード類表示具１１はその先端部に下向きの外力が掛かっても脱落不能に保持される。第１下ストッパー部１４と上ストッパー部１５との間には、上段フック体３を差し込みできる程度の間隔（空間）が空いている。第１下ストッパー部１４と第２下ストッパー部１６との間の部位は下向きに開口した切欠き１２ｃになっている。これは、射出成形法によって製造するに際しての上ストッパー部１５の型抜きのためのものであり、型抜きの容易性を犠牲にすれば第１下ストッパー部１４と第２下ストッパー部１６を連続させることも可能である。
【００２２】
第２下ストッパー部１６は、主として上向きの外力でカード類表示具１１が跳ね上がることを防止するためのものであり、いわば補助的なものであるので、第２下ストッパー部１６は、開口溝を挟んだ左右に分断して爪状に形成することも可能である。
【００２３】
ホルダー１２は前後方向に長く延びており、このため、上ストッパー部１５の手前側において左右の側板１２ａは前後に長く延びている。そして、左右側板１２ａの内面に、上段フック体３の上向き部３ａに係合する内向き突起１７の対を前後適宜間隔で設けている。このため、カード類表示具１１の前後位置を段階的に調節することができる。位置決め手段としては突起１７に変えて溝（或いは平面視波形等の凹凸）を形成することも可能である。
【００２４】
フック装置はメーカーに上段フック体３の先端と下段フック体２の先端との間隔が異なるため、本実施形態のようにカード類表示具１１の前後位置を段階的に調節できる構成にすると、カードケース１３を常に下段フック体２の先端部近傍に位置させることができて好適である。いうまでないが、カード類表示具１１は、ある程度の力をかけて押し引きすると、左右側板１２ａが撓み変形して前後位置を調節できる。
【００２５】
本実施形態ではホルダー１２の側板１２ａは下向きに大きく抉られた形状になっており、このため上段フック体３の先端部は上向き部３ａの上端部を除いて広い範囲で露出している。これは取付けの容易性や樹脂の節約等のためであり、図１（Ｂ）に一点鎖線１８で示すように、ホルダー１２の下面を水平状に延びる形態に形成することも可能である。
【００２６】
また、図２に一点鎖線で示すように、左右の側板１２ａを天板部１２ｄで一体に繋ぐことも可能であり、このように天板部１２ｄを設けるとホルダー１２は全体の剛性を向上できる（剛性強化手段としては、一点鎖線１８で示す部位に底板を形成することも可能であり、この場合は、底板は第２下ストッパー部１６と一体に連続させても良い。）。また、天板部１２ｄを上ストッパー部として機能させることも可能であり、この場合は、第１下ストッパー部１４を無くすことも可能である。
【００２７】
左右側板１２ａの前端には前壁１９が一体に繋がっており、この前壁１９に、カードケース１３を取り付けるための上挟持部２０と下挟持部２１とが一体に繋がっている。上挟持部２０は円板形状であって前壁１９とは細幅のブリッジ部２２を介して繋がっている。このため、上挟持部２０は弾性に抗して上向きに起こすことができる。
【００２８】
下挟持部２１は基本的にはリング状の形態を成しており、かつ、図１（Ａ）から理解できるように上挟持部２０の外側に広がっている。換言すると、平面視において上挟持部２０は下挟持部２１で囲われた内側に位置している。更に換言すると、平面視で上挟持部２０は下挟持部２１の中心穴２ａに重なっている。図２に示すように、下挟持部２１の中心穴２１ａはブリッジ部２２と平面視で重なるように奥側に延びている（従って、中心穴２１ａは鍵穴状の形態になっている。）。下挟持部２１の外周面は下広がりのテーパ状になっている。なお、上挟持部２０もリング状に形成することは可能である。
【００２９】
(3).カードケースの取付け構造
カードケース１３は、プライスカードのようなカード類（図示せず）を挟む裏板２３と表板２４とを備えており、裏板２３の裏面に左右一対のブラケット２５を設け、左右ブラケット２５に、上下挟持部２０，２１の間に入り込む水平姿勢の支軸２６が一体に形成されている。支軸２６は断面円形である。左右ブラケット２５の間隔は下挟持部２１の外径よりも僅かに大きい寸法である。また、ブラケット２５の幅寸法は上下挟持部２０，２１の上下間隔よりも大きい寸法であり、このため、支軸２６が上下挟持部２０，２１の間から軸方向に抜け出ることはない。
【００３０】
ホルダー１２における下挟持部２１の上面には、支軸２６が嵌まる凹溝２７を形成している。この場合、凹溝２７は、平面視で上段フック体３と直交した姿勢のものと、上段フック体３の軸線に対して右に傾斜したものと、上段フック体３の軸線に対して左に傾斜したものとの３本を形成しており、このため、カードケース１３の表示面は、上段フック体３と正面から対向した姿勢と右に傾いた姿勢と左に傾いた姿勢との３つの姿勢に変更することができる。傾斜姿勢は３０°程度に設定している。
【００３１】
カードケース１３の支軸２６は、上下挟持部２０，２１の弾性変形を利用して凹溝２７に嵌め込むことができ、また、上下挟持部２０，２１の弾性変形を利用してカードケース１３の平面視姿勢を変えることができる。本実施形態では、一つの特徴として、カードケース１３の支軸２６が凹溝２７に嵌まった状態では上下挟持部２０，２１の弾性復元力は作用しておらず、従って、カードケース１３は摩擦抵抗を全く感じることなく支軸２６を中心にして上向きに跳ね上げ回動させることができる。
【００３２】
このため、カードケース１３を下段フック体２の手前部に位置させておいても、商品の出し入れには全く支障はない。図２に示すように、カードケース１３をはね上げると、カードケース１３の上端面がホルダー１２の前壁１９に当たるように設定している。買い物客がカードケース１３をはね上げて商品を取り出す場合は、カードケース１３が跳ね上がったままにならないように、自重でも戻るように、跳ね上げ切った状態で重心が支軸２６の手前に位置するように設定しておくのが望ましい。
【００３３】
他方、店員が商品を下段フック体２に補給するに際してカードケース１３が邪魔になる場合は、カードケース１３は跳ね上げきった状態に保持されているのが好ましい。この点については、前壁１９とカードケース１３、或いは支軸２６と上下挟持部２０，２１等に、弾性に抗しての変形によって跳ね上げ状態が保持される係合手段を設けておいたら良い。
【００３４】
図２に一点鎖線で示すように、ブリッジ部２２の下面に、上挟持部２０の下面よりも下向きに下がった段部を２２ａを形成して、支軸２６を押し込むに際してのストッパー部と成すことも可能である。この場合は、ブリッジ部２２は上面も段落ちさせて撓み変形を容易ならしめるのが好ましい。なお、ブリッジ部２２は上挟持部２０より薄くしても良いのである。
【００３５】
本実施形態では、カードケース１３の裏板２３と表板２４とは別部材に構成しており、爪２８を利用して表板２４を裏板２３に取付けている。勿論、カードケース１３は様々の構造を採用できる。例えば、表板２４を蝶番式にして裏板２３に一体化したり、或いは、裏板２３と表板２４とを側面視Ｕ字状に連続させて両者の間にカード類を差し込むようにしたり、或いは、表板２４を無くして裏板２３の前面にカード類を貼り付けるといったことも可能である。
【００３６】
(4).まとめ
カード類表示具１１を上段フック体３に取り付けるのは、図３に示す手順で行う。すなわち、先ず、カード類表示具１１を下ストッパー部１４が下向きとなるように略鉛直状の姿勢にして下ストッパー部１４と上ストッパー部１５との間の部分を上段フック体３の上向き部３ａに上方から差し込み、次いで、上ストッパー部１５を上段フック体３の上面に沿って滑らせるようにしてカード類表示具１１の姿勢を水平状に変えて行くのである。
【００３７】
図２に示すように、カードケース１３は下段フック体２の手前に配置できるため、カードケース１３を下段フック体２に対する保護部材として機能させることができ、このため、人が誤って下段フック体２の先端に顔を当てるような事故を防止できる。上ストッパー部１５の先端と下段フック体２の先端との間隔寸法はメーカーによって違いがあるが、本実施形態のようにカード類表示具１１を前後位置調節できる構成にすると、寸法の違いを吸収してカードケース１３を常に下段フック体２の手前部に配置できる利点がある。
【００３８】
さて、カード類表示具のホルダー１２は、図２において上下方向に相対動して密着・離反する金型を使用した射出成形法によって製造される。しかして、上下の挟持部２０，２１は平面視で互いに重なっていないため、一対の金型を相対動させるだけのシンプルな成形装置であっても、型抜きの容易性を損なうことなく上下挟持部２０，２１が成形される。このため成形装置（金型装置）のシンプル化してコストを抑制できる。
【００３９】
(5).第２実施形態の構造
図４〜図７では第２実施形態を示している。図４のうち（Ａ）は平面図、（Ｂ）は側面図、（Ｃ）は（Ａ）のＣ−Ｃ視断面図、（Ｄ）は（Ｂ）のＤ−Ｄ視断面図、（Ｅ）は（Ｂ）のＥ−Ｅ視断面図、図５のうち（Ａ）は部分的な分離平面図、（Ｂ）は（Ａ）のＢ−Ｂ視断面図、図６のうち（Ａ）は部分的な分離側面図、（Ｂ）は図４（Ａ）のVI−VI視断面図、（Ｃ）は（Ｂ）のＣ−Ｃ視断面図、（Ｄ）は（Ｂ）のＤ−Ｄ視断面図、図７のうち（Ａ）は取付けの手順を示す図、（Ｂ）は支持部の底面図、図８は取付けの手順を示す図である。
【００４０】
この第２実施形態はシングル式のフック装置に適用したものであり、フック装置は、ベース体１の上面に第１実施形態の下段フック体２と同様の形態のフック体６を溶接した構造になっている。フック体６の先端には傾斜部６ａを形成している。
【００４１】
この実施形態のカード類表示具１１は、フック装置の後端部に取り付けられる本体３２と、本体３２に取付けられるカードケースとからなっており、カードケース１３は表示を省略しているが第１実施形態と同じものである。
【００４２】
本体３２は、ベース体１から上向きに立ち上がる支持部３３と、支持部３３の上端から前向きに延びるアーム部３４と、アーム部３４の前端に設けた上下の挟持部２０，２１とを主要要素としており、上下の挟持部２０，２１は基本的には第１実施形態と同じ構造になっている。但し、本実施形態のアーム部３４は第１実施形態のホルダー１２よりは上下高さ寸法が小さいので、アーム部３４の前端に上向きの支柱部２２ａを設けて、この支柱部２２ａにブリッジ部２２を介して上挟持部２０が設けられている。図４（Ｂ）に一点鎖線で示すように、柱部２２ａとアーム部３４とを傾斜状のリブ２２ｂで連結して強度を確保しても良い。
【００４３】
アーム部３４は下向きに開口した樋状（チャンネル状）の形態になっており、その任意の部位とフック体６との間につっかい棒３５をスライド自在に介在させることができる。つっかい棒３５は、アーム部３４の内部にスライド自在に嵌まる頭部３４ａと、フック体６を軽く挟持するクランプ部３４ｂとを備えている。いうまでもないが、アーム部３４は丸棒状や角棒状など任意の断面形状を採用できる。
【００４４】
支持部３３は左右側板３３ａと前板３３ｂと後面板３３ｃと抱持部３３ｄとを備えて中空の角形に形成されており、左右側板３３ａの下端にはベース体１の上に重なる左右の下板３６が一体に形成されている。この下板３６の存在により、支持部３３はフック体６の軸心回りに回転しないように安定良く保持される。また、左右側板３３ａと抱持部３３ｄとでトンネル状の形態を成しており、このため、フック体６は左右及び上方から抱持される。
【００４５】
図５（Ｂ）に示すように、フック体６は丸棒製であるため、フック体６の後部とベース体１の上面との間には前後長手の横向き開口溝７が形成されている。そこで、図６（Ｄ）に明示するように、支持体３３の下端には、フック装置の横向き開口溝７に入り込む左右一対のリアストッパー部３７を形成している。このリアストッパー部３７は、支持部３３の後部側に偏った状態で形成されている（その意義は後述する）。また、支持部３３の後端はフック体６の後端よりも手前に位置しており、かつ、下板３６とリアストッパー部３７とは支持部３３の後端よりも後方にはみ出ている。
【００４６】
また、左右の下板３６はベース体１の前面から手前に僅かにはみ出ており、左右のはみ出し部３６ａを利用してフック体６の下面に位置したフロントストッパー部３８を形成している。支持部３３における前板３３ｂの下端とフロントストッパー部３８との間（或いは、支持部３３における抱持部３３ｄの前端とフロントストッパー部３８との間）には、フック体６に嵌め込み可能な間隔（空間）が空いている。
【００４７】
リアストッパー部３７の存在により、カード類表示具１１は下向きに倒れない状態に保持されており、また、フロントストッパー部３８の存在により、例えば商品を取り出すに際して誤ってアーム部３４を上向きに大きく突き上げてもカード類表示具１１が外れることはない。
【００４８】
(6).第２実施形態の取付け手順・まとめ
第２実施形態のカード類表示具１１を取り付けるに当たっては、まず、図７に示すように、カード類表示具１１を上下ひっくり返してなおかつカードケースが上になるように斜めの姿勢にして、その状態でフロントストッパー部３８と前板３３ｂとの間の空間をフック体６の先端に嵌め入れ、フック体６のカーブに沿って姿勢を変えながら奥に押し込むことで支持部３３をフック体６の水平部まで移動させる。
【００４９】
そして、フロントストッパー部３８がフック体６の水平部に移動すると、アーム部３４とフック体６とは平行になるので、図８に示すように、カード類表示具１１をフック体６の軸心回りに回動させることでアーム部３４が上になるように姿勢を変えて、それから、支持部３３がベース体１の上面に重なるようにスライドさせる。すると、リアストッパー部３７がフック装置の横向き開口溝７に嵌まり込むと共に、フロントストッパー部３８がフック体６の下面箇所に位置して、取付けが完了する。取り外しは逆の手順で行う。
【００５０】
上記の取付け方法では、カード類表示具１１は殆ど抵抗無しでフック装置に取付けることができるが、図７に一点鎖線で示すように、支持部３３を上向きにした姿勢でフック体６の前端部に嵌め込むことも可能である。この場合は支持部３３を若干弾性変形させる必要がある。
【００５１】
フック装置は、フック体６の長さが相違するものが何種類かあるが、１種類のカード類表示具１１でフック体６の長さの違いに対応するには、アーム部３４をインナー部材とアウター部材とがスライド自在に嵌まり合った２パーツ式としたら良い。
【００５２】
(7).第３実施形態
図９では第３実施形態を示している。（Ａ）は側面図、（Ｂ）は（Ａ）のＢ−Ｂ視断面図、（Ｃ）は（Ａ）のＣ−Ｃ視断面図である。
【００５３】
この実施形態は十手方式のフック装置とシングル方式のフック装置との両方に兼用できるようにしたものであり、ホルダー３２は第２実施形態と良く似ているが、第２実施形態とは、アーム部３４が上向き開口の樋状である点と、シングル方式のフック装置への取付け手段としては専ら支持部３３の下端に設けたリアストッパー部３７に依っている点とが相違している。従って、第２実施形態のフロントストッパー３８は備えていない。カードケースは第１実施形態と同じものが使用される。
【００５４】
(8).その他
本願発明は上記の実施形態の他にも様々に具体できる。例えば、上下の挟持部をカードケースに設けたり、上挟持部をリング状に形成して下挟持部を小さい面積と成したりすることが可能である。上下下挟持部の平面視形状は円形である必要はなく例えば多角形や楕円形とすることも可能である。上下の挟持部に凹溝を形成することも可能である。
【００５５】
更に、本願発明は棒状フック装置のみならず、他の方式の陳列装置にも適用できるのであり、その場合はホルダーの形態を陳列装置の形態に適合するようにアレンジしたら良い。ホルダーとカードケースとのうち上下挟持部を設けているもののみを独立項となすことも担保されている。
【図面の簡単な説明】
【００５６】
【図１】第１実施形態の構造を示す図で、（Ａ）は平面図、（Ｂ）は側面図、（Ｃ）は（Ｂ）のＣ−Ｃ視断面図である。
【図２】図１（Ａ）の II-II視断面図である。
【図３】第１実施形態の取付けの手順を示す断面図である。
【図４】第２実施形態を示す図で、（Ａ）は平面図、（Ｂ）は側面図、（Ｃ）は（Ａ）のＣ−Ｃ視断面図、（Ｄ）は（Ｂ）のＤ−Ｄ視断面図、（Ｅ）は（Ｂ）のＥ−Ｅ視断面図である。
【図５】（Ａ）は部分的な分離平面図、（Ｂ）は（Ａ）のＢ−Ｂ視断面図である。
【図６】（Ａ）は部分的な分離側面図、（Ｂ）は図４（Ａ）のVI−VI視断面図、（Ｃ）は（Ｂ）のＣ−Ｃ視断面図、（Ｄ）は（Ｂ）のＤ−Ｄ視断面図である。
【図７】取付けの手順を示す図である。
【図８】取付けの手順を示す図である。
【図９】第３実施形態を示す図である。
【符号の説明】
【００５７】
１  フック装置のベース体
２  下段フック体
３  上段フック体
３ａ  上向き部
１１  カード類表示具
１２，３２  ホルダー
１２ａ  側板
１３  カードケース
２０  上挟持部
２１  下挟持部
２３  裏板
２４  表板
２５  ブラケット
２６  支軸
【図１】
2009018040.tif 000003
【図２】
2009018040.tif 000004
【図３】
2009018040.tif 000005
【図４】
2009018040.tif 000006
【図５】
2009018040.tif 000007
【図６】
2009018040.tif 000008
【図７】
2009018040.tif 000009
【図８】
2009018040.tif 000010
【図９】
2009018040.tif 000011